(57)【要約】      （修正有）【課題】水素分子を豊富に含む機能水をウォーターサーバーを提供する。【解決手段】ウォーターサーバー本体２ａにウォータータンク６が内蔵され、このウォータータンク６の上部に嵌合受部６が形成され、該嵌合受部６ａはウォーター容器４を脱着可能に受け入れこれを支持する。嵌合受部６ａにウォーター容器４を嵌合すると、該ウォーター容器４内の飲料水がウォータータンク６内に供給される。ウォータータンク６内の飲料水は、冷却又は温められてウォーターサーバー本体２ａに設けた水栓１８，２０から取り出すことができる。ウォータータンク６内には、マグネシウム粒からなる分子水素発生源２４が配置され、このマグネシウムによりウォータータンク６内の飲料水は水素分子を豊富に含む機能水となる。【選択図】図１
0003128612.tif 000002
【実用新案登録請求の範囲】
【請求項１】
ウォーターサーバー本体２ａにウォータータンク６を内蔵し、該ウォータータンク６にウォーター容器４を脱着可能に受け入れる嵌合受部６を設け、前記嵌合受部６ａに前記ウォーター容器４を嵌合すると、該ウォーター容器４内の飲料水が前記ウォータータンク６内に供給されるように成し、前記ウォータータンク６内の飲料水を冷却又は温めてウォーターサーバー本体２ａに設けた水栓１８，２０から取り出すことができるようにしたウォーターサーバーであって、前記ウォータータンク６内にマグネシウム粒からなる分子水素発生源２４を配置したことを特徴とするウォーターサーバー。
【請求項２】
前記マグネシウム粒を細かい網目を有するネットからなる袋体２６内に収納したことを特徴とする請求項１に記載のウォーターサーバー。
【請求項３】
ウォーターサーバー本体２ａにウォータータンク６を内蔵し、該ウォータータンク６にウォーター容器４を脱着可能に受け入れる嵌合受部６を設け、前記嵌合受部６ａに前記ウォーター容器４を嵌合すると、該ウォーター容器４内の飲料水が前記ウォータータンク６内に供給されるように成し、前記ウォータータンク６内の飲料水を冷却又は温めてウォーターサーバー本体２ａに設けた水栓１８，２０から取り出すことができるようにしたウォーターサーバーであって、前記ウォータータンク６内に隔板１０を設け、該隔板１０によって前記ウォータータンク６内を互いに連通する上部室６ｂと下部室６ｃに区画し、前記上部室６ｂをパイプ１４を介して温水タンクに導き、前記下部室６ｃの周囲に冷媒通路１２を配置して下部室６ｃの飲料水を冷却するように成し、前記隔板１０上に、マグネシウム２８の粒を細かい網目を有するネットからなる袋体２６内に収納した分子水素発生源２４を配置したことを特徴とするウォーターサーバー。
【考案の詳細な説明】
【技術分野】
【０００１】
本考案は、分子水素を豊富に含む飲料水を提供するウォーターサーバーに関する。
【背景技術】
【０００２】
飲料水とマグネシウム粒を反応させて水素ガスを発生させ、飲料水を分子水素を豊富に含む水素豊富水に変えるようにした水素豊富水生成方法及び水素豊富水生成器が従来知られている（例えば特許文献１参照）。
またオフィス等で冷却水等を供給するウォーターサーバーが従来知られている（例えば特許文献２参照）。
【特許文献１】特開２００４−４１９４９号公報
【特許文献２】特開２００５−１３２４２２号公報
【考案の開示】
【考案が解決しようとする課題】
【０００３】
従来の水素豊富水生成器は、水が出入りする小孔が形成された容器にマグネシウム粒を充填した構成となっている。このマグネシウム粒の充填された容器はスティックと呼ばれ市販されている。水素豊富水の愛好者は購入したスティックを家庭で水道水などの飲料水の入ったボトルに入れ、ボトル内の水とスティック内のマグネシウム粒とを反応させて、自分でボトル内の水を分子水素を豊富に含有する水素豊富水に変えて飲んでいる。しかるに、オフィス等で水素豊富水を飲みたい場合、現在、分子水素を豊富に含む飲料水を提供するウォーターサーバーはオフィス等に設置されていない。
本考案は、分子水素を豊富に含む飲料水が得られるオフィス等に設置されるウォーターサーバーを提供することを目的とする。
【課題を解決するための手段】
【０００４】
上記目的を達成するため本考案は、ウォーターサーバー本体２ａにウォータータンク６を内蔵し、該ウォータータンク６にウォーター容器４を脱着可能に受け入れる嵌合受部６を設け、前記嵌合受部６ａに前記ウォーター容器４を嵌合すると、該ウォーター容器４内の飲料水が前記ウォータータンク６内に供給されるように成し、前記ウォータータンク６内の飲料水を冷却又は温めてウォーターサーバー本体２ａに設けた水栓１８，２０から取り出すことができるようにしたウォーターサーバーであって、前記ウォータータンク６内にマグネシウム粒からなる分子水素発生源２４を配置したことを特徴とする。
また本考案は、前記マグネシウム粒を細かい網目を有するネットからなる袋体２６内に収納したことを特徴とする。
また本考案は、ウォーターサーバー本体２ａにウォータータンク６を内蔵し、該ウォータータンク６にウォーター容器４を脱着可能に受け入れる嵌合受部６を設け、前記嵌合受部６ａに前記ウォーター容器４を嵌合すると、該ウォーター容器４内の飲料水が前記ウォータータンク６内に供給されるように成し、前記ウォータータンク６内の飲料水を冷却又は温めてウォーターサーバー本体２ａに設けた水栓１８，２０から取り出すことができるようにしたウォーターサーバーであって、前記ウォータータンク６内に隔板１０を設け、該隔板１０によって前記ウォータータンク６内を互いに連通する上部室６ｂと下部室６ｃに区画し、前記上部室６ｂをパイプ１４を介して温水タンクに導き、前記下部室６ｃの周囲に冷媒通路１２を配置して下部室６ｃの飲料水を冷却するように成し、前記隔板１０上に、マグネシウム２８の粒を細かい網目を有するネットからなる袋体２６内に収納した分子水素発生源２４を配置したことを特徴とするものである。
【考案の効果】
【０００５】
本考案は、分子水素を豊富に含む機能水をウォーターサーバーから提供することができる。
【考案を実施するための最良の形態】
【０００６】
以下に本考案の実施の形態を添付した図面を参照して詳細に説明する。
図４はオフイス等で冷水等を供給するウォーターサーバー２を示し、本体２ａに、取り替え可能なウォーターボトルから成るウォーター容器４を脱着自在に受け入れ支持する嵌合受部６ａを備えている。
【０００７】
前記嵌合受部６ａは、ウォーターサーバー本体２ａに内蔵されたウォータータンク６の上部に一体的に形成されている。ウォーター容器４の下部の吐水栓８は、常時は閉じており、吐水栓８の先端面を押圧することにより開き、ウォーター容器４内の飲料水を吐出できるようになっている。
【０００８】
前記ウォーター容器４の下部をウォータータンク６の嵌合受部６ａに嵌合すると、ウォータータンク６内の突起体（図示省略）と前記吐水栓８が係合し、該吐水栓８が開くように構成されている。前記ウォータータンク６の内部には、隔板１０が内蔵され、前記ウォータータンク６内を上部室６ｂと下部室６ｃに区画している。
【０００９】
前記下部室６ｃの周囲には冷媒通路１２が配置され、下部室６ｃ内の飲料水を冷却するように構成されている。上部室６ｂと下部室６ｃは、隙間を介して互いに連通している。下部室６ｃ内の飲料水は、ここで冷却されるように構成されている。
【００１０】
前記隔板１０には、パイプ１４が連結し、該パイプ１４は、隔板１０の上方で、前記上部室６ｂ内に開口している。上部室６ｂ内の飲料水は、パイプ１４を通じて、ウォーターサーバー本体２ａに内蔵された温水タンク（図示省略）に供給されるように構成されている。
【００１１】
前記ウォーターサーバー本体２ａには、コップ載置台１６が設けられ、この上に、冷水用の水栓１８と、温水用の水栓２０が配設されている。前記水栓１８は、パイプを通じて前記ウォータータンク６の下部室６ｃに設けられたパイプ２２に連結し、前記水栓２０は、パイプを通じて前記温水タンクに連結している。
【００１２】
前記ウォーターサーバーの本体２ａには、コンプレッサー（図示省略）が設けられ、該コンプレッサーの圧力によって、前記温水タンクやウォータータンク６内の冷水が前記水栓１８，２０に供給される。前記隔板１０の凹入部１０ａには、分子水素発生源２４が配置されている。
【００１３】
前記分子水素発生源２４は、図３に示すように、細い網目を有するナイロン製のネットから成る細長筒状の袋体２６に、ネットの網目を通過しない程度の大きさの多数の粒からなるマグネシウム２８が収納されている。
【００１４】
上記した構成において、ウォータータンク６の中で分子水素発生源２４のマグネシウム２８の粒と飲料水とが反応し、次の化学式によってウォータータンク６内に水素ガスを発生する。
【００１５】
[化１]
Ｍｇ＋２Ｈ2Ｏ→Ｍｇ（ＯＨ）2＋２Ｈ→Ｍｇ（ＯＨ）2＋Ｈ2
【００１６】
その結果、ウォータータンク６内の飲料水は、分子水素Ｈ２を豊富に含んだ機能水となる。上記飲料水とマグネシウム２８が反応し分子水素Ｈ２を発生するまでにかかる所要時間は、マグネシウム２８の粒に対する焼成温度及び焼成時間を適宜変えることにより調整できることが実験的に確認されている。
【００１７】
ちなみに、水の成分はＨ２Ｏであり、２個の水素と１個の酸素からできているが、この水素と酸素の間に働いている水素結合エネルギーのために水素が酸素と離れた形で存在することができず、通常の水には、分子水素Ｈ２が含まれてない。
【００１８】
また、たとえ最初のうちは分子水素Ｈ２を豊富に含んだ水であっても分子水素は直ぐに放散し失われてしまうため分子水素を豊富に含んだ水は自然界には存在しない。
【００１９】
自然界の水の９９，９９パーセントまでが分子水素Ｈ２のほとんど含まれていない水素欠乏水である。
日本機能水学会では、機能水とは、人為的な処理によって有用な機能を持つ水と定義している。
【００２０】
水と一緒に分子水素を体内に取り入れることで、体内の余分な酸素（活性酸素）と水素が結びついて無害な水として体外に排出されるという学説を元に開発された、分子水素を豊富に含む水素水は、この機能水としての機能を持つものである。
前記ウォータータンク６内の機能水は、水栓１８又は水栓２０から冷水又は温水状態で、コップ内に適量注入することができる。
【図面の簡単な説明】
【００２１】
【図１】本考案にかかるウォーターサーバーの要部の断面説明図である。
【図２】分子水素発生源の外観図である。
【図３】分子水素発生源のＡ−Ａ線断図である。
【図４】ウォーターサーバーの外観図である。
【符号の説明】
【００２２】
２      ウォーターサーバー
４      ウォーター容器
６      ウォータータンク
６ａ    嵌合受部
６ｂ    上部室
６ｃ    下部室
８      下部吐水栓
１０    隔板
１０ａ  凹入部
１２    冷媒通路
１４    パイプ
１６    コップ載置台
１８    水栓
２０    水栓
２２    パイプ
２４    分子水素発生源
２６    袋体
２８    マグネシウム
【図１】
0003128612.tif 000003
【図２】
0003128612.tif 000004
【図３】
0003128612.tif 000005
【図４】
0003128612.tif 000006